(57)【要約】      （修正有）【課題】定期的に加入者情報を切り替えることで疑似的な同時待ち受け機能を実現した通信端末を提供する。【解決手段】通信端末（スマートフォン１）は、複数の加入者情報を切り替えるための切替設定（３１）に基づいて上記加入者情報を定期的に切り替える加入者情報切替部（４３）を備えている。同時待ち受け機能を持たない通信端末であっても、定期的に加入者情報を切り替えることで各加入者情報による通信を自動で切り替え、疑似的な同時待ち受け機能を実現し、ユーザの利便性を高める。【選択図】図１
2018078445.tif 000002
【特許請求の範囲】
【請求項１】
複数の加入者情報のいずれかを用いて通信を行う通信端末であって、
上記加入者情報を定期的に切り替える加入者情報切替部を備えている
ことを特徴とする通信端末。
【請求項２】
上記加入者情報切替部による切り替え後の加入者情報に対応するアプリケーションを起動させることを特徴とする請求項１に記載の通信端末。
【請求項３】
上記加入者情報切替部は、加入者情報切替時にユーザが当該通信端末を操作中である場合は、上記加入者情報の切り替えを行わない
ことを特徴とする請求項１または２に記載の通信端末。
【請求項４】
加入者情報毎に通信が有効となる期間を示す有効期間が設定され、
上記加入者情報切替部は、上記有効期間によって上記加入者情報を切り替える
ことを特徴とする請求項１〜３のいずれか１項に記載の通信端末。
【請求項５】
加入者情報毎に上記有効期間の開始時刻および終了時刻が設定され、
上記加入者情報切替部は、上記開始時刻および終了時刻によって上記加入者情報を切り替える
ことを特徴とする請求項４に記載の通信端末。
【請求項６】
加入者情報毎に当該通信端末に対するユーザの入力が行われるまでの入力待ち時間が設定され、
上記加入者情報切替部は、上記入力待ち時間までにユーザの入力が無かったときに、上記加入者情報を切り替える
ことを特徴とする請求項１〜３のいずれか１項に記載の通信端末。
【請求項７】
複数の加入者情報のいずれかを用いて通信を行う通信端末の制御方法であって、
上記加入者情報を定期的に切り替える加入者情報切替ステップと、
上記加入者情報切替ステップにより切替えられた加入者情報を用いた通信を行う通信ステップと、を含む
ことを特徴とする通信端末の制御方法。
【請求項８】
請求項１に記載の通信端末としてコンピュータを機能させるための制御プログラムであって、上記加入者情報切替部としてコンピュータを機能させるための制御プログラム。
【請求項９】
請求項８に記載の制御プログラムを記録したコンピュータ読み取り可能な記録媒体。
【発明の詳細な説明】
【技術分野】
【０００１】
本発明は通信端末の動作制御に関する。
【背景技術】
【０００２】
複数のＳＩＭ（subscriber identity module）カードを挿入可能とすることで、複数の異なる無線通信事業者の通信網から、無線通信に利用する通信網（通信サービス）を選択可能とする通信端末（いわゆる、マルチＳＩＭ端末）が従来技術として知られている。なお、無線通信事業者が提供する通信サービスを利用するためには、ユーザは当該通信サービスに加入し、契約内容および自身を一意に識別するための情報を含む、加入者情報を登録する必要がある。換言すれば、ユーザは、登録された加入者情報を用いて通信サービスを利用することができる。
【０００３】
また、マルチＳＩＭ端末の中でも、複数の通信サービスを同時に利用して待ち受けを行う「同時待ち受け（Dual Standby）機能」を備える通信端末も知られている。一方、同時待ち受け機能を持たないマルチＳＩＭ端末は、一度に１つの通信サービスしか利用できないため、他の通信サービスを利用するためには、通信サービスの切り替えを行う必要がある。例えば、特許文献１には、通信を行う際、個々の電話番号に関する料金体系および使用状況に基づいて、最も通信料金が安い電話番号を選択する移動体通信端末が開示されている。
【先行技術文献】
【特許文献】
【０００４】
【特許文献１】特開２００７−２２１２７４号公報（２００７年８月３０日公開）
【発明の概要】
【発明が解決しようとする課題】
【０００５】
しかしながら、上述のような従来技術は、いずれも目的に応じて最適な通信サービスを選択するためのものである。そのため、例えば、他の通信サービスにおいてユーザが確認すべき情報が発信されているか否かを把握することができないという問題がある。
【０００６】
本発明の一態様は、定期的に加入者情報を切り替えることで各加入者情報による通信を自動で切り替え、疑似的な同時待ち受け機能を実現し、ユーザの利便性を高めた通信端末を提供することを目的とする。
【課題を解決するための手段】
【０００７】
上記の課題を解決するために、本発明の一態様に係る通信端末は、複数の加入者情報のいずれかを用いて通信を行う通信端末であって、上記加入者情報を定期的に切り替える加入者情報切替部を備えている構成である。
【０００８】
上記の課題を解決するために、本発明の一態様に係る通信端末の制御方法は、複数の加入者情報のいずれかを用いて通信を行う通信端末の制御方法であって、上記加入者情報を定期的に切り替える加入者情報切替ステップと、上記加入者情報切替ステップにより切替えられた加入者情報を用いた通信を行う通信ステップと、を備えている方法である。
【発明の効果】
【０００９】
本発明の一態様によれば、同時待ち受け機能を持たない通信端末であっても、定期的に加入者情報を切り替えることで各加入者情報による通信を自動で切り替え、疑似的な同時待ち受け機能を実現し、ユーザの利便性を高めた通信端末を提供することができるという効果を奏する。
【図面の簡単な説明】
【００１０】
【図１】本発明の実施形態１に係るスマートフォンの要部構成の一例を示すブロック図である。
【図２】本発明の実施形態１に係るスマートフォンが利用する切替設定の一例を示す概要図である。
【図３】本発明の実施形態１に係るスマートフォンが実行する切替設定生成処理の一例を示すフローチャートである。
【図４】本発明の実施形態１に係るスマートフォンが実行する加入者情報切替処理の一例を示すフローチャートである。
【図５】本発明の実施形態２に係るスマートフォンが利用する切替設定の一例を示す概要図である。
【図６】本発明の実施形態２に係るスマートフォンが実行する切替設定生成処理の一例を示すフローチャートである。
【図７】本発明の実施形態２に係るスマートフォンが実行する加入者情報切替処理の一例を示すフローチャートである。
【図８】本発明の実施形態３に係るスマートフォンが実行する切替設定生成処理の一例を示すフローチャートである。
【図９】本発明の実施形態３に係るスマートフォンが実行する加入者情報切替処理の一例を示すフローチャートである。
【発明を実施するための形態】
【００１１】
〔実施形態１〕
以下、本発明の実施の形態について、図１〜４を用いて詳細に説明する。なお、本実施形態では通信端末の一態様として、スマートフォンについて説明する。
【００１２】
〔スマートフォンの構成〕
本実施形態に係るスマートフォン１の構成について、図１を用いて説明する。図１は、本実施形態に係るスマートフォン１の要部構成の一例を示すブロック図である。
【００１３】
本実施形態に係るスマートフォン１は、表示部１１、操作部１２、通信部１３、タイマ１４、ＳＩＭ挿入部２０、記憶部３０、および制御部４０を備えている。
【００１４】
スマートフォン１は、無線通信機能を備えた通信端末である。より詳細には、スマートフォン１は、ＳＩＭ挿入部２０に挿入されているＳＩＭカード２１に記録された加入者情報を用いて、無線通信事業者の基地局を介して他の装置と無線通信を行う。ここで、加入者情報とは、スマートフォン１が通信サービスを利用するために用いる、当該通信サービスに加入しているユーザを一意に識別することができる情報であり、例えば電話番号である。なお、本実施形態に係るスマートフォン１は、同時待ち受け機能に対応していない通信端末である。
【００１５】
表示部１１は、スマートフォン１にて用いられる各種画像を自身の表示領域に表示するディスプレイである。表示部１１は、例えばＬＣＤ（Liquid Crystal Display）、有機ＥＬディスプレイ（ＯＥＬＤ：Organic Electroluminescence Display）などによって構成される。
【００１６】
操作部１２は、スマートフォン１に対するユーザの操作を受け付けるものである。操作部１２は、当該スマートフォン１が備える物理的なボタンであってもよいし、表示部１１と一体に構成されたタッチパネルであってもよい。
【００１７】
通信部１３は、上述した加入者情報を用いてスマートフォン１が外部の通信網を介して他の装置と通信するものである。ここで、通信部１３は、３Ｇ（3rd Generation：第３世代移動通信システム）およびＬＴＥ（Long Term Evolution：新世代通信規格）などの通信規格にしたがって通信可能な構成であればどのようなものであってもよい。
【００１８】
タイマ１４は、後述する切替設定３１に含まれている有効期間、開始時刻、終了時刻、入力待ち時間等の時間を計測するための計時手段であり、計時情報を制御部４０内の加入者情報切替部４３に送る。
【００１９】
ＳＩＭ挿入部２０は、ＳＩＭカードが挿入されるものである。本実施形態において、ＳＩＭ挿入部２０は最大３枚のＳＩＭカード２１（ＳＩＭカード２１Ａ、２１Ｂ、２１Ｃ）を挿入可能である。また、本実施形態では最大３枚のＳＩＭカード２１を挿入可能であるＳＩＭ挿入部２０に、３枚のＳＩＭカード２１Ａ〜２１Ｃを挿入する例を示すが、ＳＩＭ挿入部２０に挿入可能なＳＩＭカード２１の枚数、および、実際に使用するＳＩＭカードの枚数はこの例に限定されない。
【００２０】
ＳＩＭカード２１は、ＳＩＭ挿入部２０に挿入される、スマートフォン１が通信部１３を介した無線通信を行うために必要な各種情報を記録した記録媒体である。本実施形態において、ＳＩＭカード２１は、少なくとも加入者情報を含んでいる。本実施形態において、スマートフォン１は、この加入者情報を無線通信事業者の基地局に送信することにより、当該無線通信事業者の通信サービスを利用した通信を行うことができる状態となる。例えば、加入者情報は電話番号であってもよい。なお、本実施形態では、各ＳＩＭカード２１が異なる無線通信事業者のＳＩＭカード２１である例を説明するが、同じ事業者のＳＩＭカード２１を複数併用することもできる。
【００２１】
記憶部３０は、スマートフォン１にて扱われる各種データを記憶する。本実施形態において、記憶部３０は、切替設定３１を少なくとも備えている。
【００２２】
切替設定３１は、後述する切替設定生成部４２が生成する設定情報であり、スマートフォン１は、切替設定３１を用いて、有効な加入者情報を定期的に切り替えることができる。なお、切替設定３１は、加入者情報を定期的に切り替えるための情報が含まれていればどのような構成であってもよい。例えば、加入者情報について、切り替える順番を含む構成であってもよいし、有効期間を含む構成であってもよい。また、切替設定３１は、加入者情報を切り替えるための開始時刻および終了時刻を含む構成であってもよい。さらに、切替設定３１は、加入者情報を切り替えたときに実行する、当該加入者情報に紐付けられたアプリケーションに関する情報を備えている構成であってもよい。つまり、上記加入者情報切替部による加入者情報の切り替えに伴って、当該加入者情報に紐付けられたアプリケーションが起動するようにしてもよい。ここで、切り替えに伴ってとは、加入者情報を切り替えるタイミングで同時にアプリケーションが起動する場合、及び加入者情報を切り替えた後、当該加入者情報による通信が有効である期間内にアプリケーションが起動する場合の両方を含む。つまり、切替後の加入者情報が有効である有効期間内であれば、任意のタイミングで当該加入者情報に対応するアプリケーションを起動してよい。
なお、本実施形態における切替設定３１の構成について、図２の（ａ）を用いて以下に説明する。
【００２３】
（切替設定の構成）
本実施形態における切替設定３１の構成について、図２の（ａ）を用いて以下に説明する。図２は、本実施形態に係るスマートフォン１が利用する切替設定の一例を示す概要図であり、図２の（ａ）は切替設定３１の構成を示す。
【００２４】
図２の（ａ）において、切替設定３１は「加入者情報の種類」、「加入者情報」、「有効期間」、および「切り替えた時に実行するアプリ」の項目を備えている。本実施形態において、項目名「加入者情報の種類」は、「加入者情報」に設定した加入者情報の、切り替えにおける分類を示す。項目名「加入者情報」は、ＳＩＭカード２１から取得した、実際の加入者情報を示す。図示の例において、加入者情報Ａ〜ＣはＳＩＭカード２１Ａ〜２１Ｃに含まれる加入者情報にそれぞれ対応する。項目名「有効期間」は、「加入者情報の種類」で指定した加入者情報を切り替えによって有効とする期間を示す。項目名「切り替えた時に実行するアプリ」は、「加入者情報の種類」で指定した加入者情報に紐付けられた、当該加入者情報を切り替えによって有効とした際、実行するアプリケーションの種類および実行内容を示す。
【００２５】
まず、１行目のレコードについて説明する。図示の例によれば、「加入者情報の種類」が「１番目に有効にする加入者情報」である「加入者情報」は「加入者情報Ａ」である。また、「加入者情報Ａ」の「有効期間」は「５５分」であり、「切り替えた時に実行するアプリ」は「なし」である。これは、１番目に有効にする加入者情報として加入者情報Ａを切り替えによって有効にした場合、スマートフォン１は加入者情報Ａを利用して５５分間待ち受けを行うこと、および加入者情報Ａを切り替えによって有効にした際、特定のアプリケーションを実行することはないことを示す。
【００２６】
次に、２行目のレコードについて説明する。図示の例によれば、「加入者情報の種類」が「２番目に有効にする加入者情報」である「加入者情報」は「加入者情報Ｂ」である。また、「加入者情報Ｂ」の「有効期間」は「３分」であり、「切り替えた時に実行するアプリ」は「メールアプリＡ起動」である。これは、２番目に有効にする加入者情報として加入者情報Ｂを切り替えによって有効にした場合、スマートフォン１は加入者情報Ｂを利用して３分間待ち受けを行うこと、および加入者情報Ｂを切り替えによって有効にした際、メールアプリＡを起動することを示す。
【００２７】
３行目のデータは、２行目のデータと同様である。すなわち、３行目のデータは、３番目に有効にする加入者情報として加入者情報Ｃを切り替えによって有効にした場合、スマートフォン１は加入者情報Ｃを利用して２分間待ち受けを行うこと、および加入者情報Ｃを切り替えによって有効にした際、メールアプリＢを起動することを示す。
【００２８】
制御部４０は、スマートフォン１の各部を統括して制御するものであり、加入者情報制御部４１、切替設定生成部４２、および加入者情報切替部４３を備えている。
【００２９】
加入者情報制御部４１は、ＳＩＭ挿入部２０に挿入されたＳＩＭカード２１Ａ〜２１Ｃのそれぞれから加入者情報を取得し、切替設定生成部４２に送信する。また、制御部４０からの指示に基づいて、加入者情報切替部４３に、切替設定３１に基づく加入者情報の切替を指示する。
【００３０】
切替設定生成部４２は、加入者情報制御部４１から受信した、ＳＩＭカード２１Ａ〜２１Ｃのそれぞれから取得した複数の加入者情報について、複数の加入者情報を切り替えるための切替設定３１を生成する。なお、本実施形態では、切替設定生成部４２が生成する切替設定３１には、加入者情報ごとに設定された加入者情報を切り替えによって通信が有効となる期間を示す有効期間が含まれる。また、切替設定生成部４２は、生成した切替設定３１について、記憶部３０に格納する。このとき、切替設定３１は、ＳＩＭカード２１Ａ〜２１Ｃのそれぞれから取得した加入者情報の全てに対して設定してもよいし、一部の加入者情報にのみ設定してもよい。なお、切替設定生成部４２は、切替設定３１を生成することが可能な構成であればどのようなものであってもよい。例えば、操作部１２に対するユーザの入力（操作）に応じて切替設定３１を設定する構成であってもよい。また、料金体系などの、ＳＩＭカード２１に含まれる複数の加入者情報の内容に基づいて切替設定３１を設定する構成であってもよい。さらに、ＳＩＭカード２１に含まれる複数の加入者情報の利用状況に応じて切替設定３１を設定する構成であってもよい。
【００３１】
加入者情報切替部４３は、切替設定３１に基づいて、加入者情報を定期的に切り替える。なお、本実施形態では、加入者情報切替部４３は、切替設定３１に含まれた有効期間によって加入者情報を切り替える。また、加入者情報切替部４３は、切替設定３１において、切り替えた加入者情報に紐付けられたアプリケーションの実行を指示する。ここで、アプリケーションの実行は、加入者情報の切り替え完了後の、当該加入者情報を用いた通信が可能な状態となった後であれば、どのようなタイミングで実行されてもよい。さらに、本実施形態において、加入者情報切替部４３は、切替設定３１に設定された有効期間に基づいて、加入者情報の切り替えを行う。なお、加入者情報切替部４３は、切替設定３１の内容に基づいて加入者情報の切り替えが可能な構成であれば、どのようなものであってもよい。例えば、加入者情報の切り替えが完了すると、現在有効である加入者情報を示す情報を表示部１１に表示する構成であってもよい。本実施形態において、加入者情報切替部４３が実行する、切替設定３１を用いた加入者情報の切り替えについて、図２の（ｂ）を用いて以下に説明する。
【００３２】
（加入者情報の切り替えについて）
切替設定３１を用いた加入者情報の切り替えについて、図２の（ｂ）を用いて以下に説明する。図２の（ｂ）は、図２の（ａ）に記載の切替設定３１を用いた加入者情報の切り替えの概要を示す。
【００３３】
図示の例において、まず、加入者情報切替部４３は、「加入者情報の種類」が「１番目に有効にする加入者情報」であるデータ、すなわち図２の（ａ）の１行目のレコードに基づいて加入者情報の切り替えを行う。したがって、加入者情報切替部４３は、加入者情報Ａについて５５分間待ち受けを行う。また、加入者情報切替部４３は、切り替えに合わせて特定のアプリケーションを実行することはない。
【００３４】
加入者情報Ａについて５５分間の待ち受けが完了すると、加入者情報切替部４３は、「加入者情報の種類」が「２番目に有効にする加入者情報」であるデータ、すなわち図２の（ａ）の２行目のレコードに基づいて加入者情報の切り替えを行う。したがって、加入者情報切替部４３は、加入者情報Ｂについて３分間待ち受けを行う。また、加入者情報切替部４３は、切り替え時にメールアプリＡを起動することにより、新着メールの有無をメールサーバに問い合わせることができる。
【００３５】
加入者情報Ｂについて３分間の待ち受けが完了すると、加入者情報切替部４３は、「加入者情報の種類」が「３番目に有効にする加入者情報」であるデータ、すなわち図２の（ａ）の３行目のレコードに基づいて加入者情報の切り替えを行う。したがって、加入者情報切替部４３は、加入者情報Ｃについて２分間待ち受けを行う。また、加入者情報切替部４３は、切り替え時にメールアプリＢを起動することにより、新着メールの有無をメールサーバに問い合わせることができる。
【００３６】
加入者情報Ｃについて２分間の待ち受けが完了すると、加入者情報切替部４３は、「加入者情報の種類」が「１番目に有効にする加入者情報」であるデータ、すなわち図２の（ａ）の１行目のレコードに基づいて加入者情報の切り替えを行う。このようにして、加入者情報切替部４３は、切替設定３１の「加入者情報の種類」に設定された順番にしたがって、定期的に加入者情報を切り替えることができる。
【００３７】
（切替設定生成処理の流れ）
本実施形態において、スマートフォン１が実行する切替設定生成処理の流れについて、図３を用いて説明する。図３は、本実施形態に係るスマートフォン１が実行する切替設定生成処理の流れの一例を示すフローチャートである。なお、図示の例において、はじめはｎ＝２であるものとする。
【００３８】
まず、切替設定生成部４２は、操作部１２に対するユーザの入力に応じて、加入者情報制御部４１がＳＩＭカード２１Ａ〜２１Ｃのそれぞれから取得した複数の加入者番号の中から、１番目に有効にする加入者情報を選択する（Ｓ１）。次に、切替設定生成部４２は、ユーザの入力に応じて、１番目に有効にする加入者情報の有効期間を設定する（Ｓ２）。その後、切替設定生成部４２は、ユーザの入力に応じて、１番目に有効にする加入者情報に切り替えた時に実行するアプリケーション（動作）を設定する（Ｓ３）。
【００３９】
Ｓ３の後、切替設定生成部４２は、他に有効期間が未設定である加入者情報が存在するか否かを判定する（Ｓ４）。有効期間が未設定である加入者情報が存在すると判定した場合（Ｓ４でＹＥＳ）、切替設定生成部４２は、ユーザの入力に基づいて、ｎ番目に有効にする加入者情報を追加するか否かを判定する（Ｓ５）。ここで、ｎは有効期間を設定した加入者情報の順番を示す数字であり、２〜Ｎ（Ｎは設定可能である加入者情報の最大数）である。一方、有効期間が未設定である加入者情報が存在しないと判定した場合（Ｓ４でＮＯ）、一連の処理を終了する。
【００４０】
Ｓ５において、ｎ番目に有効にする加入者情報を追加しないと判定した場合（Ｓ５でＮＯ）、一連の処理を終了する。一方、ｎ番目に有効にする加入者情報を追加すると判定した場合（Ｓ５でＹＥＳ）、切替設定生成部４２は、ユーザの入力に応じて、ｎ番目に有効にする加入者情報を選択し（Ｓ６）、さらに有効期間を設定する（Ｓ７）。そして、切替設定生成部４２は、ユーザの入力に応じて、ｎ番目に有効にする加入者情報に切替えた時に実行するアプリケーション（動作）を設定する（Ｓ８）。その後、切替設定生成部４２は、ｎの値を１つ繰り上げた後（Ｓ９）、Ｓ４の処理へ進む。
【００４１】
このようにして、スマートフォン１は、有効期間を指定した切替設定を生成することができる。そして、Ｓ４〜Ｓ９の処理の繰り返しにおいて、Ｎ番目に有効にする加入者情報を追加する、またはユーザの入力によってｎ番目に有効にする加入者情報を追加しないと判定した場合、一連の処理を終了し、切替設定の生成を終了することができる。
【００４２】
（加入者情報切替処理の流れ）
本実施形態において、スマートフォン１が実行する加入者情報切替処理の流れについて、図４を用いて説明する。図４は、本実施形態に係るスマートフォン１が実行する加入者情報切替処理の流れの一例を示すフローチャートである。なお、図示の例において、はじめはｎ＝２であるものとする。
【００４３】
まず、加入者情報切替部４３は、切替設定３１より１番目に有効にする加入者情報を取得し、当該加入者情報を用いた通信を有効にする（Ｓ１１：加入者情報切替ステップ、通信ステップ）。次に、加入者情報切替部４３は、１番目に有効にする加入者情報に紐付けられたアプリケーション（動作）を実行する（Ｓ１２）。
【００４４】
Ｓ１２の後、加入者情報切替部４３は、切替設定３１の、１番目に有効にする加入者情報に対して設定された有効期間を過ぎたか否かを判定する（Ｓ１３）。有効期間を過ぎたと判定した場合、処理はＳ１４へ進む。
【００４５】
Ｓ１４において、加入者情報切替部４３は、ｎ番目に有効にする加入者情報が存在するか否かを判定する（Ｓ１４）。ｎ番目に有効にする加入者情報が存在しないと判定した場合（Ｓ１４でＮＯ）、一連の処理を終了する。一方、ｎ番目に有効にする加入者情報が存在すると判定した場合（Ｓ１４でＹＥＳ）、加入者情報切替部４３は加入者情報を切り替え、ｎ番目に有効にする加入者情報を用いた通信を有効にする（Ｓ１５：加入者情報切替ステップ、通信ステップ）。さらに、加入者情報切替部４３は、ｎ番目に有効にする加入者情報に紐付けられたアプリケーション（動作）を実行する（Ｓ１６）。そして、加入者情報切替部４３は、ｎ番目に有効にする加入者情報に対して設定された有効期間を過ぎたか否かを判定する（Ｓ１７）。有効期間を過ぎたと判定した場合（Ｓ１７でＹＥＳ）、加入者情報切替部４３は、ｎの値を１つ繰り上げた後（Ｓ１８）、Ｓ１４の処理へ進む。
【００４６】
このようにして、スマートフォン１は、ｎ番目に有効にする加入者情報が存在しなくなるまでＳ１４〜Ｓ１８の処理を繰り返し、加入者情報を順番に切り替えることができる。そして、一連の処理を終了すると、再度一連の処理を開始する。これにより、本実施形態に係るスマートフォン１は、切替設定３１に基づいて、定期的に加入者情報を切り替えることができる。
【００４７】
以上の処理により、本実施形態に係る通信端末は、複数の加入者情報について、加入者情報ごとに有効期間を設定した切替設定を生成し、生成した切替設定に基づいて加入者情報を定期的に切り替えることができる。また、通信端末は、切替設定に基づいて加入者情報を切り替えたときに、当該加入者に紐付けられたアプリケーションを実行することができる。したがって、同時待ち受け機能を持たない通信端末であっても、切替設定に基づいて定期的に加入者情報を切り替えることで各加入者情報による通信を自動で切り替え、疑似的な同時待ち受け機能を実現し、さらに、加入者情報に紐付けられたアプリケーションを実行することで、ユーザの利便性を高めるという効果を奏する。
【００４８】
なお、本実施形態において、加入者情報制御部４１は３つのＳＩＭカード２１Ａ〜２１Ｃのそれぞれから加入者情報を１つずつ取得するものであったが、加入者情報制御部４１が複数の加入者情報を取得できるのであれば、どのような構成であってもよい。例えば、スマートフォン１は、３枚のＳＩＭカード２１Ａ〜２１Ｃの代わりに、ｅＳＩＭ（embedded SIM：組み込み用ＳＩＭ）のような、１枚のＳＩＭカードの中に複数の加入者情報を含む記録媒体を備える構成であってもよい。この場合、切替設定生成部４２は、加入者情報制御部４１がｅＳＩＭから取得した複数の加入者情報に基づいて切替設定３１を生成することができる。
【００４９】
〔実施形態２〕
本発明の実施形態２について、図１、５〜７に基づいて説明すれば、以下のとおりである。なお、説明の便宜上、上記実施形態にて説明した部材と同じ機能を有する部材については、同じ符号を付記し、その説明を省略する。本実施形態に係る通信端末は、上記実施形態１と同様に、スマートフォン１とする。また、便宜上、以下の説明においてＳＩＭカード２１は、ＳＩＭカード２１ＡおよびＳＩＭカード２１Ｂの２枚であるとする。
【００５０】
（スマートフォン１の構成）
本実施形態に係るスマートフォン１の構成について、図１を用いて説明する。スマートフォン１の基本的な構成は上記実施形態１に係るスマートフォン１と同一であるが、切替設定３１、切替設定生成部４２、および加入者情報切替部４３の構成が異なる。
【００５１】
切替設定３１は、切替設定生成部４２によって生成され、当該切替設定３１を用いて加入者情報切替部４３が有効とする加入者情報を切り替える点は上記実施形態１と同一であるものの、その構成が異なる。本実施形態における切替設定３１の構成について、図５の（ａ）を用いて以下に説明する。
【００５２】
（切替設定の構成）
本実施形態における切替設定３１の構成について、図５の（ａ）を用いて以下に説明する。図５は、本実施形態に係るスマートフォン１が利用する切替設定の一例を示す概要図であり、図５の（ａ）は切替設定３１の構成を示す。
【００５３】
図５の（ａ）において、切替設定３１は「加入者情報の種類」、「加入者情報」、「有効期間」、および「切り替えた時に実行するアプリ」の項目を備えている。図５の（ａ）に示す各項目のうち、「加入者情報の種類」、「加入者情報」、および「切り替えた時に実行するアプリ」の設定内容は上記実施形態１と同様であるものの、「有効期間」の設定内容が異なる。
【００５４】
図示の例において、「有効期間」の項目は、「加入者情報の種類」で設定した加入者情報が切り替えによって有効となる時間帯を開始時刻および終了時刻で示す。例えば、１行目のレコードでは、加入者情報Ａの「有効期間」が「下記以外」に設定されている。これは、２行目のレコードにおいて、加入者情報Ｂの「有効期間」として設定された時間帯以外は、加入者情報Ａを利用して待ち受けを行うことを示す。そして、２行目のレコードにおいて、加入者情報Ｂの「有効期間」として設定された時間帯は、「８：００〜８：０５」、「１２：００〜１２：０５」、および「１７：００〜１７：０５」の３つである。すなわち、１行目のレコードは、加入者情報Ａを利用して、「０：００〜８：００」、「８：０５〜１２：００」、「１２：０５〜１７：００」、および「１７：０５〜２４：００」の４つの時間帯で待ち受けを行うことを示す。
【００５５】
なお、本実施形態に係る切替設定３１では、２行目のレコードの「有効期間」に示すように、１つの加入者情報に対して複数の時間帯が設定されてもよい。また、本実施形態では、１行目のレコードの「有効期間」に示すように、通常時に有効にする加入者情報を設定する。これは、１日のうち、待ち受けを行う加入者情報が１つも存在しない状態が発生しないようにすることが目的である。
【００５６】
図示の例は、加入者情報Ａを通常時に有効にする加入者情報とし、加入者情報Ｂを、時刻指定で有効にする加入者情報としたが、時刻指定で有効にする加入者情報は複数あってもよい。例えば、新たな加入者情報Ｃが、時刻指定で有効にする加入者情報として追加されてもよい。このとき、加入者情報Ｂの有効期間として設定した時間帯と、加入者情報Ｃの有効期間として設定した時間帯とが重複しないように設定する必要がある。
【００５７】
加入者情報毎に上記有効期間の開始時刻および終了時刻が含まれ、上記加入者情報切替部４３は、上記開始時刻および終了時刻によって上記加入者情報を切り替えること以外、上記実施形態１と同一である。
【００５８】
加入者情報切替部４３は、切替設定３１の内容に基づいて、複数の加入者情報の切り替えを行う点は変わらないものの、切替設定３１に含まれた開始時刻および終了時刻によって加入者情報を切り替える点が上記実施形態１と異なる。本実施形態において、切替設定３１を用いた加入者情報の切り替えについて、図５の（ｂ）を用いて以下に説明する。
【００５９】
（加入者情報の切り替えについて）
切替設定３１を用いた加入者情報の切り替えについて、図５の（ｂ）を用いて以下に説明する。図５の（ｂ）は、図５の（ａ）に記載の切替設定３１を用いた加入者情報の切り替えの概要を示す。なお、図示の例において、加入者情報の切り替えは０：００に開始され、２４：００に終了するものとする。
【００６０】
図示の例において、まず、加入者情報切替部４３は、時刻が０：００の時点では、通常時に有効にする加入者情報を、切り替えによって有効とする。すなわち図５の（ａ）の１行目のレコードに基づいて加入者情報の切り替えを行い、加入者情報Ａを有効にする。また、加入者情報切替部４３は、切り替えに合わせて特定のアプリケーションを実行することはない。
【００６１】
時間が経過し、時刻が８：００になると、加入者情報切替部４３は、開始時刻が８：００と設定された加入者情報について、切り替えによって有効とする。すなわち図５の（ａ）の２行目のレコードに基づいて加入者情報の切り替えを行い、加入者情報Ｂを有効にする。また、加入者情報切替部４３は、切り替え時にメールアプリＡを起動することにより、新着メールの有無をメールサーバに問い合わせることができる。
【００６２】
その後、時刻が加入者情報Ｂの終了時刻である８：０５になると、加入者情報切替部４３は、通常時に有効にする加入者情報を、切り替えによって有効とする。すなわち図５の（ａ）の１行目のレコードに基づいて加入者情報の切り替えを行い、加入者情報Ａを有効にする。このようにして、加入者情報切替部４３は、切替設定３１に設定された開始時刻および終了時刻に基づいて、定期的に加入者情報を切り替えることができる。そして、時刻が２４：００になると一連の処理を終了し、新たに０：００からの一連の切り替えを開始する。
【００６３】
上記のように、本実施形態に係る加入者情報切替部４３は、現在の時刻に応じて、切替設定３１に設定された複数の加入者情報を定期的に切り替えることができる。
【００６４】
（切替設定生成処理の流れ）
本実施形態において、スマートフォン１が実行する切替設定生成処理の流れについて、図６を用いて説明する。図６は、本実施形態に係るスマートフォン１が実行する切替設定生成処理の流れの一例を示すフローチャートである。
【００６５】
まず、切替設定生成部４２は、操作部１２に対するユーザの入力に応じて、加入者情報制御部４１がＳＩＭカード２１ＡおよびＳＩＭカード２１Ｂから取得した複数の加入者番号の中から、通常時に有効にする加入者情報を選択する（Ｓ２１）。次に、切替設定生成部４２は、ユーザの入力に応じて、通常時に有効にする加入者情報に切り替えた時に実行するアプリケーション（動作）を設定する（Ｓ２２）。
【００６６】
Ｓ２２の後、切替設定生成部４２は、他に有効期間が未設定である加入者情報が存在するか否かを判定する（Ｓ２３）。有効期間が未設定である加入者情報が存在すると判定した場合（Ｓ２３でＹＥＳ）、切替設定生成部４２は、ユーザの入力に基づいて、時刻指定で有効にする加入者情報を追加するか否かを判定する（Ｓ２４）。ここで、ｎは有効期間を設定した加入者情報の数を示す数字であり、２〜Ｎ（Ｎは設定可能である加入者情報の最大数）である。一方、有効期間が未設定である加入者情報が存在しないと判定した場合（Ｓ２３でＮＯ）、一連の処理を終了する。
【００６７】
Ｓ２４において、時刻指定で有効にする加入者情報を追加しないと判定した場合（Ｓ２４でＮＯ）、一連の処理を終了する。一方、時刻指定で有効にする加入者情報を追加すると判定した場合（Ｓ２４でＹＥＳ）、切替設定生成部４２は、ユーザの入力に応じて、時刻指定で有効にする加入者情報を選択し（Ｓ２５）、さらに有効期間の開始時刻と終了時刻を設定する（Ｓ２６）。そして、切替設定生成部４２は、ユーザの入力に応じて、時刻指定で有効にする加入者情報に切り替えた時に実行するアプリケーション（動作）を設定する（Ｓ２７）。その後、切替設定生成部４２はＳ２３の処理へ進む。
【００６８】
このようにして、スマートフォン１は、時刻指定で有効期間を設定した切替設定を生成することができる。そして、Ｓ２３〜Ｓ２７の処理の繰り返しにおいて、有効期間が未設定である加入者情報が存在しない、または時刻指定で有効にする加入者情報を追加しないと判定した場合、一連の処理を終了し、切替設定の生成を終了することができる。
【００６９】
（加入者情報切替処理の流れ）
本実施形態において、スマートフォン１が実行する加入者情報切替処理の流れについて、図７を用いて説明する。図７は、本実施形態に係るスマートフォン１が実行する加入者情報切替処理の流れの一例を示すフローチャートである。
【００７０】
まず、加入者情報切替部４３は、切替設定３１より通常時に有効にする加入者情報を取得し、当該加入者情報を用いた通信を有効にする（Ｓ３１：加入者情報切替ステップ、通信ステップ）。次に、加入者情報切替部４３は、通常時に有効にする加入者情報に紐付けられたアプリケーション（動作）を実行する（Ｓ３２）。
【００７１】
Ｓ３２の後、加入者情報切替部４３は、現在時刻が、時刻指定で有効期間を設定した加入者情報の、有効期間の開始時刻として設定された時刻になったか否かを判定する（Ｓ３３）。有効期間の開始時刻として設定された時刻になっていないと判定した場合（Ｓ３３でＮＯ）、加入者情報切替部４３は、現在時刻が２４：００になったか否かを判定する（Ｓ３４）。２４：００になったと判定した場合（Ｓ３４でＹＥＳ）、加入者情報切替部４３は一連の処理を終了し、新たにＳ３１から始まる一連の処理を開始する。一方、２４：００になっていないと判定した場合（Ｓ３４でＮＯ）、処理はＳ３３へ進む。
【００７２】
Ｓ３３において、有効期間の開始時刻として設定された時刻になったと判定した場合（Ｓ３３でＹＥＳ）、加入者情報切替部４３は加入者情報を切り替え、時刻指定で有効にする加入者情報を用いた通信を有効にする（Ｓ３５：加入者情報切替ステップ、通信ステップ）。さらに、加入者情報切替部４３は、時刻指定で有効にする加入者情報に紐付けられたアプリケーション（動作）を実行する（Ｓ３６）。そして、加入者情報切替部４３は、時刻指定で有効にした加入者情報について、切替設定３１の有効期間で設定した終了時刻になったか否かを判定する（Ｓ３７）。終了時刻になったと判定した場合（Ｓ３７でＹＥＳ）、処理はＳ３１へ進む。一方、設定した終了時刻になっていないと判定した場合（Ｓ３７でＮＯ）、加入者情報切替部４３は、一定期間後に、再度Ｓ３７の処理を実行する。
【００７３】
このようにして、スマートフォン１は、０：００から２４：００までの間にＳ３１〜Ｓ３７の処理を実行し、通常時に有効にする加入者情報を用いて待ち受けを行うと同時に、切替設定３１に時刻指定で有効にする加入者情報として設定された加入者情報について、開始時刻および終了時刻に基づいて切り替えを行うことができる。これにより、本実施形態に係るスマートフォン１は、切替設定３１に基づいて、定期的に加入者情報を切り替えることができる。
【００７４】
以上の処理により、本実施形態に係る通信端末は、複数の加入者情報について、加入者ごとに開始時刻および終了時刻を設定した切替設定に基づいて加入者情報を切り替えることができる。したがって、通信端末について、加入者情報ごとに設定された加入者情報を切り替えによって通信が有効となる期間の開始時刻および終了時刻に基づいて定期的に加入者情報を切り替えることにより、疑似的な同時待ち受け機能を実現し、ユーザの利便性を高めるという効果を奏する。
【００７５】
〔実施形態３〕
本発明の実施形態３について、図１、８〜９に基づいて説明すれば、以下のとおりである。なお、説明の便宜上、上記実施形態にて説明した部材と同じ機能を有する部材については、同じ符号を付記し、その説明を省略する。本実施形態に係る通信端末は、上記実施形態１と同様に、スマートフォン１とする。また、便宜上、以下の説明においてＳＩＭカード２１は、ＳＩＭカード２１ＡおよびＳＩＭカード２１Ｂの２枚であるとする。
【００７６】
（スマートフォン１の構成）
本実施形態に係るスマートフォン１の構成について、図１を用いて説明する。スマートフォン１の基本的な構成は上記実施形態１に係るスマートフォン１と同一であるが、切替設定３１、切替設定生成部４２、および加入者情報切替部４３の構成が異なる。
【００７７】
切替設定３１は、切替設定生成部４２によって生成され、当該切替設定３１を用いて加入者情報切替部４３が有効とする加入者情報を切り替える点は上記実施形態１と同一であるものの、その構成が異なる。本実施形態における切替設定３１の構成について、図２の（ａ）を参照しつつ、本実施形態との差異について説明する。
【００７８】
本実施形態における切替設定３１は、加入者情報を切り替える順番を設定する点は上記実施形態１と同一であるが、項目名「有効期間」の代わりに「入力待ち時間」を備えている。ここで、項目名「入力待ち時間」は、「加入者情報」で設定された加入者情報に切り替えた後、スマートフォン１がユーザの入力（スマートフォン１の操作）を待ち受ける入力待ち時間を示す。すなわち、本実施形態における切替設定３１は、加入者情報ごとに入力待ち時間が設定される点が上記各実施形態と異なる。
【００７９】
例えば、「加入者情報の種類」が「１番目に有効にする加入者情報」のレコードについて「加入者情報」が「加入者情報Ａ」であるとする。さらに、当該のレコードについて、「入力待ち時間」が「３０分」であり、「切り替えた後に実行するアプリ」が「なし」であるとする。これは、加入者情報Ａが有効であるときに、３０分間、ユーザからの入力が行われなかった場合に、他の加入者情報に切り替えることを示す。また、他の加入者情報から加入者情報Ａへ切り替えた際、特定のアプリケーションを実行することはないことを示す。
【００８０】
ここで、「加入者情報の種類」が「１番目に有効にする加入者情報」のレコード以外に、「加入者情報の種類」が「２番目に有効にする加入者情報」のレコードが１つ存在する場合を考える。そして、当該レコードの「加入者情報」が「加入者情報Ｂ」、「入力待ち時間」が「５分」、および「切り替えた時に実行するアプリ」が「メールアプリＡ起動」であるとする。これは、加入者情報Ｂが有効であるときに、５分間、ユーザからの入力が行われなかった場合に、加入者情報Ａに切り替えることを示す。また、加入者情報Ａから加入者情報Ｂへ切り替えた際、メールアプリＡを起動することを示す。
【００８１】
本実施形態では、加入者情報毎に当該スマートフォン１に対するユーザの入力が行われるまでの入力待ち時間が設定され、上記加入者情報切替部４３は、上記入力待ち時間までにユーザの入力が無かったときに、上記加入者情報を切り替えるようにしていること以外、上記実施形態１と同一である。
【００８２】
つまり、本実施形態では、加入者情報切替部４３は、切替設定３１の内容に基づいて、複数の加入者情報の切り替えを行う点は変わらないものの、切替設定３１に含まれた入力待ち時間によって加入者情報を切り替える点が上記実施形態１と異なる。
【００８３】
（切替設定生成処理の流れ）
本実施形態において、スマートフォン１が実行する切替設定生成処理の流れについて、図８を用いて説明する。図８は、本実施形態に係るスマートフォン１が実行する切替設定生成処理の流れの一例を示すフローチャートである。なお、図示の例において、はじめはｎ＝２であるものとする。
【００８４】
Ｓ１の処理は、上記実施形態１と同一である。Ｓ１の後、切替設定生成部４２は、１番目に有効にする加入者情報の入力待ち時間を設定する（Ｓ４１）。Ｓ４１の後、上記実施形態１と同一の、Ｓ３〜Ｓ６の処理を行う。そして、Ｓ６の後、切替設定生成部４２は、ｎ番目に有効にする加入者情報の入力待ち時間を設定し（Ｓ４２）、上記実施形態１と同一の、Ｓ８〜Ｓ９の処理へ進む。
【００８５】
このようにして、スマートフォン１は、入力待ち時間を設定した切替設定を生成することができる。そして、Ｓ４〜Ｓ６、Ｓ４２、Ｓ８〜Ｓ９の処理の繰り返しにおいて、入力待ち時間が未設定である加入者情報が存在しない、または入力待ち時間で有効にする加入者情報を追加しないと判定した場合、一連の処理を終了し、切替設定の生成を終了することができる。
【００８６】
（加入者情報切替処理の流れ）
本実施形態において、スマートフォン１が実行する加入者情報切替処理の流れについて、図９を用いて説明する。図９は、本実施形態に係るスマートフォン１が実行する加入者情報切替処理の流れの一例を示すフローチャートである。なお、図示の例において、はじめはｎ＝２であるものとする。
【００８７】
Ｓ１１〜Ｓ１２の処理は、上記実施形態１と同一である。Ｓ１２の後、加入者情報切替部４３は、切替設定３１に設定済みである入力待ち時間の間に、ユーザからの入力がなかったか否かを判定する（Ｓ５１）。入力がなかったと判定した場合（Ｓ５１でＹＥＳ）、上記実施形態１と同じくＳ１４〜Ｓ１６の処理を行う。そして、加入者情報切替部４３は、切替設定３１に設定済みである入力待ち時間の間に、ユーザからの入力がなかったか否かを判定する（Ｓ５２）。入力がなかったと判定した場合（Ｓ５２でＹＥＳ）、上記実施形態１と同じくＳ１８の処理を行った後、Ｓ１４の処理へ進む。
【００８８】
このようにして、スマートフォン１は、ｎ番目に有効にする加入者情報が存在しなくなるまでＳ１４〜Ｓ１６、Ｓ５２、およびＳ１８の処理を繰り返し、加入者情報を順番に切り替えることができる。そして、一連の処理を終了すると、再度一連の処理を開始する。これにより、本実施形態に係るスマートフォン１は、切替設定３１に基づいて、定期的に加入者情報を切り替えることができる。
【００８９】
以上の処理により、本実施形態に係る通信端末は、複数の加入者情報について、加入者情報ごとにユーザの入力待ち時間を設定した切替設定に基づいて加入者情報を切り替えることができる。したがって、通信端末について、加入者情報ごとに設定された加入者情報を切り替えによって通信が有効となるまでの、当該通信端末に対するユーザの入力に対する入力待ち時間に基づいて定期的に加入者情報を切り替えることにより、疑似的な同時待ち受け機能を実現し、ユーザの利便性を高めるという効果を奏する。
【００９０】
〔変形例〕
上記実施形態１および上記実施形態２において、スマートフォン１に対するユーザの入力の有無について言及していなかった。しかしながら、例えば、加入者情報切替部４３は、加入者情報切替時にユーザがスマートフォン１を操作中である場合は、切替設定に基づく加入者情報の切り替えを行わない構成であってもよい。より詳細には、加入者情報切替部４３は、ユーザが操作部１２を操作中であるときに加入者情報を切り替える条件を満たした場合は、ユーザの一連の入力が完了するまで加入者情報の切り替えを延期する、または当該の切り替えをスキップする構成であってもよい。
【００９１】
また、上記各実施形態において、利用する加入者情報を切り替えた際、当該加入者情報を用いた通信の品質は考慮していなかった。しかしながら、例えば、加入者情報を切り替えた際、当該加入者情報を用いた通信の品質が悪く、待ち受けに適さない場合が考えられる。そのような場合において、加入者情報切替部４３は、そのまま待ち受けを継続してもよいし、当該加入者情報を用いた待ち受けを中止し、他の加入者情報へ切り替えを行ってもよい。
【００９２】
さらに、上記各実施形態は、加入者情報の切り替えに併せて、当該加入者情報に紐付いたアプリケーションを実行する構成であった。このとき、切り替え前の加入者情報に紐付いたアプリケーションは、都度終了してもよいし、次回の実行までの間、バックグラウンドにて待機させてもよい。
【００９３】
上記各実施形態において、加入者情報の切り替え中にユーザがスマートフォン１を用いた通信を所望した場合、その時点で有効な加入者情報を用いて通信を行う構成であった。しかしながら、例えば、上記実施形態２のように、通常時に有効にする加入者情報を設定し、ユーザが操作を開始すると、当該の加入者情報に切り替えて通信を行う構成であってもよい。
【００９４】
上記各実施形態において、切替設定３１はスマートフォン１が備える切替設定生成部４２が生成する構成であったが、切替設定３１に基づいて加入者情報切替部４３が加入者情報を切り替えることができるのであれば、どのような構成であってもよい。例えば、切替設定３１について、通信によって外部より取得する構成であってもよい。
【００９５】
〔ソフトウェアによる実現例〕
スマートフォン１の制御ブロック（特に切替設定生成部４２および加入者情報切替部４３）は、集積回路（ＩＣチップ）等に形成された論理回路（ハードウェア）によって実現してもよいし、ＣＰＵ（Central Processing Unit）を用いてソフトウェアによって実現してもよい。
【００９６】
後者の場合、スマートフォン１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００９７】
〔まとめ〕
本発明の態様１に係る通信端末（スマートフォン１）は、複数の加入者情報のいずれかを用いて通信を行う通信端末であって、上記加入者情報を定期的に切り替える加入者情報切替部（４３）を備えている構成である。
【００９８】
上記の構成によれば、加入者情報を定期的に切り替えることで、各加入者情報を用いた通信を定期的に切り替えることができる。つまり、ユーザがその都度指示することなく加入者情報を定期的に切り替えて通信できる。これにより、擬似的な同時待ち受け機能を実現することができる。例えばある加入者情報を用いて通話を行い、続けて他の加入者情報を用いてメールを行う場合、通話の待機と、メールの受信待機とを擬似的に同時に行うことが可能となる。したがって、同時待ち受け機能を持たない通信端末であっても、定期的に加入者情報を切り替えることで、各加入者情報による通信を自動で切り替え、疑似的な同時待ち受け機能を実現し、ユーザの利便性を高めた通信端末を提供することができるという効果を奏する。
【００９９】
本発明の態様２に係る通信端末（スマートフォン１）は、上記態様１において、上記加入者情報切替部（４３）による切り替え後の加入者情報に対応するアプリケーションを起動させる構成としてもよい。
【０１００】
上記の構成によれば、通信端末は、加入者情報の切り替え後に当該加入者情報に対応するアプリケーションが起動されるので、ユーザはその都度指示してアプリケーションを起動する必要がないため、利便性の高い通信端末を提供することができるという効果を奏する。
【０１０１】
本発明の態様３に係る通信端末（スマートフォン１）は、上記態様１または２において、上記加入者情報切替部（４３）は、加入者情報切替時にユーザが当該通信端末を操作中である場合は、上記加入者情報の切り替えを行わない構成としてもよい。
【０１０２】
上記の構成によれば、通信端末は、ユーザが操作中である場合は、加入者情報の切り替えを行わず、ユーザが操作中ではない場合のみ、加入者情報を切り替えることができる。つまり、ユーザが特定の加入者情報を用いる意図が存在しない場合にのみ、加入者情報による通信を定期的に切り替えることができる。したがって、ユーザの入力がない場合のみ、定期的に加入者情報を切り替えることにより、意図しない切り替えの発生を抑制し、疑似的な同時待ち受け機能を実現するという効果を奏する。
【０１０３】
本発明の態様４に係る通信端末（スマートフォン１）は、上記態様１〜３のいずれかにおいて、加入者情報毎に通信が有効となる期間を示す有効期間が設定され、上記加入者情報切替部（４３）は、上記有効期間によって上記加入者情報を切り替える構成としてもよい。
【０１０４】
上記の構成によれば、通信端末は、加入者情報ごとに設定された通信が有効となる期間を示す有効期間に基づいて加入者情報を切り替えることで、各加入者情報はそれぞれの有効期間の間だけ有効となり、有効期間が過ぎれば他の加入者情報に切り替えられる。つまり、疑似的な同時待ち受け機能を実現し、ユーザの利便性を高めるという効果を奏する。
【０１０５】
本発明の態様５に係る通信端末（スマートフォン１）は、上記態様４において、加入者情報毎に上記有効期間の開始時刻および終了時刻が含まれ、上記加入者情報切替部（４３）は、上記開始時刻および終了時刻によって上記加入者情報を切り替える構成としてもよい。
【０１０６】
上記の構成によれば、通信端末は、加入者情報ごとに設定された通信が有効となる期間の開始時刻および終了時刻に基づいて加入者情報を切り替えることで、各加入者情報はそれぞれの開始時刻から終了時刻までの間だけ有効となり、この期間が過ぎれば他の加入者情報に切り替えられる。つまり、疑似的な同時待ち受け機能を実現し、ユーザの利便性を高めるという効果を奏する。
【０１０７】
本発明の態様６に係る通信端末（スマートフォン１）は、上記態様１〜３のいずれかにおいて、加入者情報毎に当該通信端末（スマートフォン１）に対するユーザの入力が行われるまでの入力待ち時間が設定され、上記加入者情報切替部（４３）は、上記入力待ち時間までにユーザの入力が無かったときに、上記加入者情報を切り替える構成としてもよい。
【０１０８】
上記の構成によれば、通信端末は、加入者情報毎に当該通信端末（スマートフォン１）に対するユーザの入力が行われるまでの入力待ち時間が設定され、上記加入者情報切替部（４３）は、上記入力待ち時間までにユーザの入力が無かったときに、上記加入者情報を切り替える構成としているので、ユーザは、加入者情報ごとに設定された当該通信端末に対するユーザの入力に対する入力待ち時間に基づいて加入者情報を切り替えることができる。つまり、疑似的な同時待ち受け機能を実現し、ユーザの利便性を高めるという効果を奏する。
【０１０９】
本発明の態様７に係る通信端末（スマートフォン１）の制御方法は、複数の加入者情報のいずれかを用いて通信を行う通信端末の制御方法であって、上記加入者情報を定期的に切り替える加入者情報切替ステップ（Ｓ１１、Ｓ１５、Ｓ３１、Ｓ３５）と、上記加入者情報切替ステップにより切替えられた加入者情報を用いた通信を行う通信ステップ（Ｓ１１、Ｓ１５、Ｓ３１、Ｓ３５）と、を備えている方法である。上記の構成によれば、上記態様１と同様の作用効果を奏する。
【０１１０】
本発明の各態様に係る通信端末（スマートフォン１）は、コンピュータによって実現してもよく、この場合には、コンピュータを上記通信端末が備える各部（ソフトウェア要素）として動作させることにより上記通信端末をコンピュータにて実現させる通信端末の制御プログラム、およびそれを記録したコンピュータ読み取り可能な記録媒体も、本発明の範疇に入る。
【０１１１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１１２】
１  スマートフォン
１１  表示部
１２  操作部
１３  通信部
１４  タイマ
２０  ＳＩＭ挿入部
２１  ＳＩＭカード
２１Ａ  ＳＩＭカード
２１Ｂ  ＳＩＭカード
２１Ｃ  ＳＩＭカード
３０  記憶部
３１  切替設定
４０  制御部
４１  加入者情報制御部
４２  切替設定生成部
４３  加入者情報切替部
【図１】
2018078445.tif 000003
【図２】
2018078445.tif 000004
【図３】
2018078445.tif 000005
【図４】
2018078445.tif 000006
【図５】
2018078445.tif 000007
【図６】
2018078445.tif 000008
【図７】
2018078445.tif 000009
【図８】
2018078445.tif 000010
【図９】
2018078445.tif 000011